(57)【特許請求の範囲】
【請求項１】
内部に振動片を有し軸方向を水平に配置した缶と、
前記缶の一端に配置され前記振動片に接続されたリード線と、
前記リード線に接続された電極端子と、
前記缶と前記リード線と前記電極端子を覆う樹脂からなる水晶振動子であって、
前記電極端子が前記リード線と接続された上面電極と、屈曲部を介して前記上面電極と一体形成され、前記軸方向かつ前記上面電極の端部の向きとは逆の方向に向かって端部が配置され、前記樹脂の底部に設けられた下面電極を有し、
前記樹脂の底部上に、前記缶の底部が配置され、
前記下面電極の裏面が前記樹脂の底部の角に配置され、
一対の前記下面電極が前記樹脂の前記リード線側に形成され、一方の前記下面電極の裏面が前記樹脂の底部の一方の角に配置され、他方の前記下面電極の裏面が前記樹脂の底部の他方の角に配置され、
前記リード線側と反対側に一端が前記樹脂の底面に配置され、他端が前記一端と略垂直かつ前記缶と離間して配置された端子を有し、
前記樹脂の底部及び上部のうち、前記缶の頭部が配置されている箇所に、前記樹脂の射出成形時に位置決めピンを挿入するための穴を有し、
前記樹脂の底部のうち、前記下面電極と前記缶の間に設けられたジャンクションを有する水晶振動子。
【請求項２】
内部に振動片を有し軸方向を水平に配置した缶と、
前記缶の一端に配置され前記振動片に接続されたリード線と、
前記リード線に接続された電極端子と、
前記缶と前記リード線と前記電極端子を覆う樹脂からなる水晶振動子であって、
前記電極端子が前記リード線と接続された上面電極と、屈曲部を介して前記上面電極と一体形成され、前記軸方向かつ前記上面電極の端部の向きとは逆の方向に向かって端部が配置され、前記樹脂の底部に設けられた下面電極を有し、
前記樹脂の底部上に、前記缶の底部が配置され、
前記電極端子が、前記上面電極と前記下面電極の間に屈曲部を有し、前記屈曲部の一端側から前記上面電極が前記屈曲部と略垂直に延設され、他端側から前記上面電極と反対の方向に前記下面電極が前記屈曲部と略垂直に延設され、
前記リード線側と反対側に一端が前記樹脂の底面に配置され、他端が前記一端と略垂直かつ前記缶と離間して配置された端子を有し、
前記樹脂の底部及び上部のうち、前記缶の頭部が配置されている箇所に、前記樹脂の射出成形時に位置決めピンを挿入するための穴を有し、
前記樹脂の底部のうち、前記下面電極と前記缶の間に設けられたジャンクションを有する水晶振動子。
【発明の詳細な説明】
【０００１】
【発明の属する技術分野】
本発明は、携帯電話及びコンピューターなどの情報機器に用いる水晶振動子に関する。
【０００２】
【従来の技術】
従来のリードフレームを有する電子部品においては、図７に示す様に、樹脂４０の垂直方向の中央部にリードフレーム５００を配置し、リードフレームの端部を曲げて電極端子５１０を部品の外側に配置している。
【０００３】
【発明が解決しようとする課題】
従来の電子部品にあっては、リードフレームの曲げ加工は、モールド樹脂の封止後に行う。そのためリード端子を作成するために、モールド樹脂の外側でクランプし、モールド樹脂の表面から離間してリード端子を形成する必要があり、モールド樹脂の幅よりもリード端子の外側の幅が大きくなり、小型化ができない、という問題点があった。
【０００４】
さらに、リード端子の先端も基板と接触するために電子部品の外側に曲げ加工を行う必要があり、リード端子の先端部と先端部の幅は、モールド樹脂の幅より大きくなる欠点があった。
【０００５】
図８は従来の電子部品の側面図であり、リードフレーム５００が射出成形により、上下に樹脂４０が配置されており、リードフレーム５００の先端を折り曲げ電極端子５１０と、電極端子の先端部５２０と５３０の間隔が樹脂４０の幅より大きくなっている。
【０００６】
【課題を解決するための手段】
本発明は、内部に振動片を有し軸方向を水平に配置した缶と、前記缶の一端に配置され前記振動片に接続されたリード線と、前記リード線に接続された電極端子と、前記缶と前記リード線と前記電極端子を覆う樹脂からなり、前記電極端子が前記リード線と接続された上面電極と、前記上面電極と一体形成された下面電極の裏面を、前記樹脂の前記リード線側の底面の角に有する水晶振動子を形成することにより、缶とほぼ同じ幅と高さの小型水晶振動子を得ることができ、水晶振動子の小型化の妨げとなるリードフレームの面積の増加を最小にすることができ、小型で薄型の水晶振動子を得ることができる。
【０００７】
また本発明では、リードフレームを抜き加工し、曲げ加工し電極端子形成する工程と、前記電極端子に振動片に接続されたリード線を接合する工程と、前記電極端子の上面を樹脂でモールドする工程と、前記電極端子を切断する工程により、１つのリードフレーム上に複数の水晶振動子を同時に形成することができる。
【０００８】
【発明の実施の形態】
本発明の装置では、水晶振動子のモールド樹脂の底部にリードフレームから形成された電極端子を設け、さらに電極端子は屈曲部を介して、振動子に接続されたリード線と接続する。そして全体を樹脂によるモールド成形を行う。
【０００９】
上記のように構成された水晶振動子はリードフレームの底面が振動子の底面となり、振動片との接続が樹脂内部のリードフレームの屈曲により行われるため電極端子の引き回しを最小にすることができる。
【００１０】
また本発明では、振動片を有する缶のリード線を有する面と反対の面に間隔をおいて端子を設け、端子の底面を水晶振動子の底部に配置した。この端子に水晶振動子の実装時に、電極端子と合わせて基板とはんだで接続することができ、その結果基板にたいして水晶振動子を強固に表面実装することができる。
【００１１】
【実施例】
以下、実施例について図面を参照に説明する
図１は本願発明の水晶振動子の実施例の断面図であり、図１において、水晶振動子は缶１０と電極端子１００と樹脂４０から構成される。ここで、内部にＶＴカットの振動子片を有するチューブ型の缶１０の軸方向を水平にして配置した。
【００１２】
また、缶１０の一端に配置され心材のコバーをハンダによりメッキしたリード線２０に、リードフレームを屈曲して形成した電極端子１００を接続している。ここで、電極端子１００は、それぞれ一体に形成された水晶振動子の下面の下面電極１２０と、リード線２０に接続する上面電極１１０からなる。
【００１３】
そして、缶１０のリード線２０がある面と反対の面の近傍の、水晶振動子下面に頭部の端子５０が配置される。
【００１４】
缶１０の頭部の上部には射出成形時の位置決めピンが挿入される穴８０があり、同じく缶１０の頭部の下部にも位置決めピンが挿入される穴７０がある。ここで、射出成形時に樹脂が挿入される下部電極と缶の間に、ジャンクション６０が形成される。
【００１５】
図２は本願発明の水晶振動子の下面を示す図であり、図１のリード線側に、一方のリード線と接続される第１の電極端子１４０が右上方の角に形成されており、他方のリード線と接続される第２の電極端子１５０が右下方の角に形成されている。そして、第１の電極端子１４０と第２の電極端子１５０がある端面より内側にジャンクション６０を穴がある。
【００１６】
さらに、リード線と反対側の、図２の左側に頭部の端子５０があり、端子５０がある端面の内側に位置決めピン挿入のための穴７０がある。
【００１７】
図３は本願発明の水晶振動子の側面図であり、樹脂４０の底部の左端に端子５０と右端に第２の電極端子１５０がある。
【００１８】
次に、本発明の実施例の製造方法について述べる。図４に示す水晶振動子の製造工程において、リン青銅からなるリードフレーム３００の上に缶１０を配置し、リード線２０と上面電極１１０を溶接する。さらにこの工程の側面図を図５に示す。打ち抜き加工により所定の形状に成形したリードフレーム３００の上面に曲げ加工により、上面電極１１０と端子５０と垂直部３２０を形成し、上面電極１１０とリード線２０を溶接する。
【００１９】
図６は、図４の工程の１個の水晶振動子を拡大したもので、リードフレーム３００の一部に下部電極１２０と、下部電極１２０に一体成形された上部電極１１０と上部電極に接続されたリード線２０からなる。また、端子５０の缶１０の頭部に向かいあう部分を折り曲げ垂直部５２を形成し、缶１０の頭部と一定の間隔を持って配置する。最後に点線で囲むように金型で覆い、液晶ポリマーを射出成形する。最後に点線の範囲でリードフレーム３００を切断し電極形状を得る。
【００２０】
本願発明の他の実施例として、水晶振動子の代わりに、ＰＬＺＴやＰＺＴなどを用いた圧電振動子、コンデンサ、抵抗などの電子部品を使用した実装部品にも適応可能である。
【００２１】
【発明の効果】
本発明は、以上説明したような形態で実施され、以下に記載されるような効果を奏する。
【００２２】
モールド樹脂の底部に電極端子を設け、樹脂内部に屈曲部を設けることにより、振動子のリードを曲げずに電極端子と振動子の接続ができるので、小型で振動子の周囲の缶とほぼ同じ大きさの水晶振動子ができる。
【００２３】
そして、リードフレームを曲げ加工し、振動子を有する缶を接続した後、モールド成形し、電極端子部を接続することができ、１つのリードフレームから小型の水晶振動子を複数同時に製造することができる。
【図面の簡単な説明】
【図１】本発明の水晶振動子の断面図である。
【図２】本発明の水晶振動子の下面図である。
【図３】本発明の水晶振動子の側面図である。
【図４】本発明の実施例を示す上面図である。
【図５】本発明の実施例を示す側面図である。
【図６】本発明の実施例を示す上面図である。
【図７】従来の水晶振動子の側面図である。
【図８】従来の水晶振動子の側面図である。
【符号の説明】
１０            缶
２０            リード線
４０            樹脂
５０            端子
６０            ジャンクション
７０、８０      穴
１００          電極端子
１１０          上面電極
１２０          下面電極
１４０          第１の電極端子
１５０          第２の電極端子
３００          リードフレーム
３１０          金型部
３２０          垂直部
５００          リードフレーム
５１０          電極端子
５２０、５３０  先端部
【図１】
0004162384.tif 000002
【図２】
0004162384.tif 000003
【図３】
0004162384.tif 000004
【図４】
0004162384.tif 000005
【図５】
0004162384.tif 000006
【図６】
0004162384.tif 000007
【図７】
0004162384.tif 000008
【図８】
0004162384.tif 000009